(57)【要約】【課題】利用者の性格に合わせたカラオケ演奏が可能なカラオケシステムを提供する。【解決手段】サービス提供者が所持する携帯端末との間で通信を確立する通信制御部と、カラオケ演奏が行われている場合、歌唱音量の測定を行う音量測定部と、前記通信が確立され、且つ歌唱区間である場合、測定された前記歌唱音量が所定値以下であるかどうかを判断する歌唱音量判断部と、前記歌唱音量が所定値以下の場合、前記カラオケ演奏を中断させ、且つ前記携帯端末との通信が解除された場合、前記カラオケ演奏を再開させる演奏制御部と、を有するカラオケシステム。【選択図】図３
2018072595.tif 000002
【特許請求の範囲】
【請求項１】
サービス提供者が所持する携帯端末との間で通信を確立する通信制御部と、
カラオケ演奏が行われている場合、歌唱音量の測定を行う音量測定部と、
前記通信が確立され、且つ歌唱区間である場合、測定された前記歌唱音量が所定値以下であるかどうかを判断する歌唱音量判断部と、
前記歌唱音量が所定値以下の場合、前記カラオケ演奏を中断させ、且つ前記携帯端末との通信が解除された場合、前記カラオケ演奏を再開させる演奏制御部と、
を有するカラオケシステム。
【請求項２】
前記演奏制御部は、前記カラオケ演奏を再開させる際、前記カラオケ演奏を中断した演奏位置よりも前の所定位置から演奏を再開させることを特徴とする請求項１記載のカラオケシステム。
【発明の詳細な説明】
【技術分野】
【０００１】
本発明はカラオケシステムに関する。
【背景技術】
【０００２】
カラオケ店舗（カラオケボックス等）では、カラオケ装置の利用中にリモコン装置やインターホンを介して部屋毎に飲食物をオーダーすることができる。
【０００３】
オーダーされた飲食物は、カラオケ店舗の店員（サービス提供者）によって提供される。この際、店員はカラオケ歌唱を行っている最中の部屋に入室することがある。
【０００４】
ところで、カラオケ装置の利用者の中には、店員等の見知らぬ人の前で歌うことを躊躇う性格の者もいる。そのような利用者は、店員がいつ入室してくるかを気にしてカラオケ歌唱を楽しめなかったり、店員が部屋に入室してきた際には、カラオケ歌唱を中断してしまうこともありうる。
【０００５】
このような問題に対し、特許文献１には、カラオケルーム内に設置された検出機器より、サービス提供者の入室・退室を判定し、サービス提供者がカラオケルームに入室している場合には、現在演奏中もしくは演奏終了後の楽曲の次曲の演奏を開始しないように制御し、サービス提供者がカラオケルームから退室した場合には、所定時間経過後に次曲の演奏を開始するように制御するシステムが開示されている。
【先行技術文献】
【特許文献】
【０００６】
【特許文献１】特開２０１０−８９７４号公報
【発明の概要】
【発明が解決しようとする課題】
【０００７】
しかし、特許文献１に記載のシステムによれば、カラオケ演奏の最中（カラオケ歌唱の最中）に店員が入室した場合、現在行われているカラオケ演奏は継続される。一方で、見知らぬ人の前で歌うことを躊躇う性格の利用者はカラオケ歌唱を中断してしまうため、カラオケ歌唱を十分に楽しむことができない。
【０００８】
本発明の目的は、利用者の性格に合わせたカラオケ演奏が可能なカラオケシステムを提供することにある。
【課題を解決するための手段】
【０００９】
上記目的を達成するための主たる発明は、サービス提供者が所持する携帯端末との間で通信を確立する通信制御部と、カラオケ演奏が行われている場合、歌唱音量の測定を行う音量測定部と、前記通信が確立され、且つ歌唱区間である場合、測定された前記歌唱音量が所定値以下であるかどうかを判断する歌唱音量判断部と、前記歌唱音量が所定値以下の場合、前記カラオケ演奏を中断させ、且つ前記携帯端末との通信が解除された場合、前記カラオケ演奏を再開させる演奏制御部と、を有するカラオケシステムである。
本発明の他の特徴については、後述する明細書及び図面の記載により明らかにする。
【発明の効果】
【００１０】
本発明によれば、利用者の性格に合わせたカラオケ演奏が可能となる。
【図面の簡単な説明】
【００１１】
【図１】実施形態に係るカラオケ装置のハードウェア構成例を示す図である。
【図２】実施形態に係るカラオケ本体のソフトウェア構成例を示す図である。
【図３】実施形態に係るカラオケ装置の処理を示すフローチャートである。
【発明を実施するための形態】
【００１２】
後述する明細書及び図面の記載から、上記の主たる発明の他、少なくとも以下の事項が明らかとなる。
【００１３】
すなわち、前記演奏制御部が、前記カラオケ演奏を再開させる際、前記カラオケ演奏を中断した演奏位置よりも前の所定位置から演奏を再開させるカラオケシステムが明らかとなる。このようなカラオケシステムを利用することにより、利用者はカラオケ歌唱を楽しむことができる。
【００１４】
＜実施形態＞
図１〜図３を参照して、実施形態に係るカラオケ装置１について説明する。カラオケ装置１は、「カラオケシステム」の一例である。
【００１５】
＝＝カラオケ装置＝＝
カラオケ装置１は、カラオケ演奏及び利用者がカラオケ歌唱を行うための装置である。カラオケ装置１は、カラオケ店舗の各部屋に設置される。図１に示すように、カラオケ装置１は、カラオケ本体１０、スピーカ２０、表示装置３０、マイク４０、及びリモコン装置５０を備える。
【００１６】
スピーカ２０はカラオケ本体１０からの放音信号に基づいて放音するための構成である。表示装置３０はカラオケ本体１０からの信号に基づいて映像や画像を画面に表示するための構成である。マイク４０は利用者の音声（歌唱音声）をアナログの音声信号に変換してカラオケ本体１０に入力するための構成である。リモコン装置５０は、カラオケ本体１０に対する各種操作をおこなうための装置である。利用者はリモコン装置５０を用いてカラオケ楽曲の予約等を行うことができる。リモコン装置５０の表示画面には各種操作の指示入力を行うためのアイコン等が表示される。
【００１７】
カラオケ本体１０は、選択されたカラオケ楽曲の演奏制御、歌詞や背景映像等の表示制御、マイク４０を通じて入力された音声信号の処理といった、カラオケ歌唱に関する各種の制御を行う。図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１８】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１９】
通信部１２は、ルーター（図示なし）を介してカラオケ本体１０を通信回線に接続するためのインターフェースを提供する。また、本実施形態に係る通信部１２は、サービス提供者の携帯端末Ｍと無線通信（たとえば、Ｂｌｕｅｔｏｏｔｈ（登録商標）通信や赤外線通信）を確立するためのインターフェースとしても機能する。
【００２０】
携帯端末Ｍには、カラオケ装置１と通信を確立するためのアプリケーションソフトウエアがダウンロードされている。当該アプリケーションソフトウエアを立ち上げた状態で携帯端末Ｍをカラオケ装置１に近づけることにより、携帯端末Ｍとカラオケ装置１との間で通信を確立することができる（詳細は後述）。
【００２１】
記憶部１３は、各種のデータを記憶する大容量の記憶装置であり、たとえばハードディスクドライブなどである。
【００２２】
記憶部１３は、複数の楽曲データを記憶する。楽曲データは、カラオケ装置１によりカラオケ演奏を行うためのデータである。カラオケ装置１が楽曲データに基づいて楽曲を演奏することにより、利用者はカラオケ歌唱が可能となる。
【００２３】
音響処理部１４は、制御部１１の制御に基づき、カラオケ楽曲に対する演奏の制御およびマイク４０を通じて入力された音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２４】
表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる制御を行う。
【００２５】
操作部１６は、パネルスイッチおよびリモコン受信回路などからなり、利用者によるカラオケ装置１のパネルスイッチあるいはリモコン装置５０の操作に応じて予約信号、演奏中断信号などの操作信号を制御部１１に対して出力する。制御部１１は、操作部１６からの操作信号を検出し、対応する処理を実行する。
【００２６】
（ソフトウェア構成）
図２はカラオケ本体１０のソフトウェア構成例を示す図である。カラオケ本体１０は、通信処理部１００、音量測定部２００、歌唱音量判断部３００及び演奏制御部４００を備える。通信処理部１００、音量測定部２００、歌唱音量判断部３００、演奏制御部４００は、ＣＰＵ１１ａがメモリ１１ｂに記憶されるプログラムを実行することにより実現される。
【００２７】
［通信処理部］
通信処理部１００は、通信部１２を介し、サービス提供者が所持する携帯端末Ｍとの間で通信を確立する。
【００２８】
たとえば、通信処理部１００は、通信部１２を介して接続要求メッセージを送信し、カラオケ装置１が設置されている部屋内に受信待機状態の携帯端末Ｍが存在するか否かを検索する。
【００２９】
一方、サービス提供者が所持する携帯端末Ｍには、専用のアプリケーションソフトウエアが予めインストールされている。サービス提供者は、飲食物を提供する際、アプリケーションソフトウエアを立ち上げた状態の携帯端末Ｍを所持したまま、オーダーを受けた部屋に入室する。
【００３０】
サービス提供者がオーダーを受けた部屋に入室した場合、携帯端末Ｍは、通信処理部１００からの接続要求メッセージを受信することができる。この場合、携帯端末Ｍは、カラオケ装置１に対し、サービス提供者の携帯端末Ｍである旨の確認信号を送信する。通信処理部１００は、通信部１２を介して確認信号を受信した場合、所定のプロトコル（たとえば、Ｂｌｕｅｔｏｏｔｈのプロトコル）に従ってカラオケ装置１と携帯端末Ｍとの通信を確立する。通信処理部１００は、所定時間毎に接続要求メッセージを送信し、携帯端末Ｍからの確認信号が受信できるかどうかにより、通信の確立及び通信の解除を判断する。通信部１２及び通信処理部１００は「通信制御部」の一例である。
【００３１】
カラオケ装置１と携帯端末Ｍとの通信が確立された場合、通信処理部１００は、通信が確立した旨の信号を歌唱音量判断部３００に出力する。
【００３２】
［音量測定部］
音量測定部２００は、カラオケ演奏が行われている場合、歌唱音量の測定を行う。
【００３３】
具体的に、音量測定部２００はカラオケ演奏が行われているかどうかを判断する。カラオケ演奏が行われているかどうかは、たとえば、音響処理部１４がカラオケ楽曲の演奏処理を実行しているかどうかを確認することにより行う。
【００３４】
カラオケ演奏が行われていると判断された場合、音量測定部２００は、歌唱音量の測定を開始する。歌唱音量は、たとえば、マイク４０を通じて入力された音声信号の強度として測定される。歌唱音量の測定は、連続的に行われてもよいし、所定の間隔毎（たとえば、１秒毎）に行われてもよい。音量測定部２００は、測定結果を歌唱音量判断部３００に出力する。なお、カラオケ演奏が行われていないと判断された場合、音量測定部２００は、歌唱音量の測定を行わない。
【００３５】
歌唱音量の測定は、カラオケ演奏（カラオケ歌唱）の最初から開始されてもよいし、携帯端末Ｍとカラオケ装置２との通信が確立された際に開始されてもよい。後者の場合、通信処理部１００は、通信が確立した旨の信号を音量測定部２００にも出力する。音量測定部２００は、当該信号が入力された場合に歌唱音量の測定を開始する。
【００３６】
また、サービス提供者が入室したこと等により利用者自身でカラオケ歌唱を中断した場合、マイク４０を通じて入力される音声信号はない。この場合、音量測定部２００は、測定値が０である旨の測定結果を歌唱音量判断部３００に出力する。
【００３７】
［歌唱音量判断部］
歌唱音量判断部３００は、携帯端末Ｍとカラオケ装置１との通信が確立され、且つ歌唱区間である場合、測定された歌唱音量が所定値以下であるかどうかを判断する。
【００３８】
見知らぬ人の前で歌うことを躊躇う性格の利用者の場合、サービス提供者が入室するとカラオケ歌唱を中断したり、声が小さくなる傾向にある。この場合の歌唱音量は、一般的なカラオケ歌唱の歌唱音量に比べ小さくなる（或いは０となる）。よって、通信が確立された状態において、音量測定部２００で測定された歌唱音量が所定値以下となる場合には、サービス提供者の入室により歌唱音量が低下したと判断できる。
【００３９】
一方、カラオケ楽曲にはカラオケ歌唱を行う区間（歌唱区間）とカラオケ歌唱を行わない区間（間奏部分等の非歌唱区間）が存在する。非歌唱区間においてはマイク４０からの歌唱音声の入力がない。よって、歌唱音量の判断は、歌唱区間において行うことが必要となる。
【００４０】
そこで、歌唱音量判断部３００は、携帯端末Ｍとカラオケ装置１との通信が確立した旨の信号の入力を受けて、現在カラオケ演奏されている楽曲の歌唱区間であるかどうかを判断する。歌唱区間の判断は、公知の手法を用いることができる。たとえば、歌唱音量判断部３００は、ガイドメロディが発音されている間、歌唱採点を行っている間、あるいは歌詞画像の色替えをおこなっている間については歌唱区間と判断し、それ以外の期間（前奏、間奏、後奏等）については非歌唱期間と判断することができる。また、楽曲データ中に予めＡメロ、Ｂメロ、サビといった歌唱区間を示すマークを付しておく。歌唱音量判断部３００は、当該マークを参照することにより歌唱区間かどうかを判断できる。
【００４１】
通信が確立され、且つ歌唱区間である場合、歌唱音量判断部３００は、音量測定部２００から時系列に入力された歌唱音量が所定値以下となっているかどうかを判断する。
【００４２】
所定値は、様々な値を用いることができる。たとえば、一般的なカラオケ歌唱における歌唱音量の平均値や、他人が同じカラオケ楽曲をカラオケ歌唱した際に得られた歌唱音量（またはその平均値）等を用いることが可能である。
【００４３】
或いは、利用者の性格によっては、店員の居る・居ないに関わらず、元々の歌唱音量が小さい場合や、逆に元々の歌唱音量が大きい場合もありうる。元々の歌唱音量が小さい利用者に対して、所定値として一般的なカラオケ歌唱における歌唱音量の平均値を用いた場合、店員の入室による躊躇いが無くても歌唱音量が平均値以下となり、演奏が中断（詳細は後述）される場合もありうる。一方、元々の歌唱音量が大きい利用者に対して、所定値として一般的なカラオケ歌唱における歌唱音量の平均値を用いた場合、店員の入室により歌唱音量が低下したとしても一般的な歌唱音量の平均値よりも大きい値となり、本来は演奏を中断すべきところが中断されないという可能性もありうる。
【００４４】
このような場合を考慮し、当該利用者が過去に同じ楽曲をカラオケ歌唱した際に得られた時系列の歌唱音量を所定値として利用することも可能である。このような過去のカラオケ歌唱で得られた歌唱音量の値は、楽曲ＩＤや利用者ＩＤと関連付けられてサーバ（図示なし）の記憶部等に記憶しておくことが可能である。
【００４５】
また、所定値として、現在のカラオケ歌唱開始から通信が確立するまでに歌唱された区間の歌唱音量（個々の区間の値、或いは平均値でもよい）を用いることもできる。このような所定値を用いることにより、過去に同じ楽曲をカラオケ歌唱したことがない利用者であっても、その性格に合わせた判断が可能となる。
【００４６】
歌唱音量が所定値以下となっている場合、歌唱音量判断部３００は、その旨の信号を演奏制御部４００に出力する。
【００４７】
［演奏制御部］
演奏制御部４００は、カラオケ装置１におけるカラオケ楽曲の演奏に関する各種制御を行う。たとえば、演奏制御部４００は、音響処理部１４を制御し、利用者が選択したカラオケ楽曲の演奏を実行させる。
【００４８】
（カラオケ演奏の中断）
ここで、本実施形態に係る演奏制御部４００は、歌唱音量が所定値以下の場合、音響処理部１４を制御し、現在行われているカラオケ演奏を中断させる。
【００４９】
演奏制御部４００は、カラオケ演奏を中断した演奏位置を記憶する。カラオケ演奏を中断した演奏位置は、たとえば、カラオケ楽曲における区間を示す情報や音符を示す情報として特定することができる。なお、本実施形態における「中断」には、カラオケ装置１に搭載されている一時停止機能を利用することや、カラオケ演奏の音量を徐々に低下させる所謂「フェードアウト」も含まれる。
【００５０】
（カラオケ演奏の再開）
また、本実施形態に係る演奏制御部４００は、携帯端末Ｍとの通信が解除された場合、カラオケ演奏を再開させる。
【００５１】
サービス提供者の入室によりカラオケ歌唱を中断した利用者であっても、サービス提供者が退室した後には通常通りのカラオケ歌唱を行うことが可能となる。
【００５２】
そこで、演奏制御部４００は、サービス提供者が退室した場合、カラオケ演奏を再開させる。
【００５３】
具体的に、通信処理部１００は、サービス提供者が退室すると携帯端末Ｍからの確認信号を受信できなくなる。この場合、通信処理部１００は、携帯端末Ｍとの通信が解除されたと判断する。通信処理部１００は、通信が解除された旨の解除信号を演奏制御部４００に出力する。
【００５４】
演奏制御部４００は、解除信号を受信した場合、中断したカラオケ演奏を再開させる。カラオケ演奏の再開は、記憶しているカラオケ演奏を中断した演奏位置から開始することが可能である。
【００５５】
或いは、演奏制御部４００は、カラオケ演奏を再開させる際、カラオケ演奏を中断した演奏位置よりも前の所定位置から演奏を再開させることも可能である。
【００５６】
上述の通り、カラオケ演奏の中断は、歌唱音量が所定値以下の場合に行われる。ここで、歌唱音量が所定値以下の場合、結果的に、利用者は歌唱音量が所定値以下になった時点からカラオケ歌唱を楽しめていないこととなる。一方で、カラオケ演奏が中断される演奏位置は、カラオケ歌唱が楽しめなくなった時点（サービス提供者が入室した時点）よりも所定時間経過した位置である。
【００５７】
従って、カラオケ演奏を中断した演奏位置から演奏を再開させると、歌唱音量が所定値以下になった時点からカラオケ演奏が中断されるまでの期間については、十分なカラオケ歌唱をする機会がなく、利用者がカラオケ歌唱を楽しむことができない。
【００５８】
そこで、演奏制御部４００は、カラオケ演奏を中断した演奏位置よりも前の所定位置から演奏を再開させる。よって、利用者は、歌唱音量が所定値以下になった時点からカラオケ演奏が中断されるまでの期間について、再度のカラオケ歌唱を行うことができる。
【００５９】
所定位置は、たとえば、歌唱音量が所定値以下になった時点からカラオケ演奏が中断されるまでの時間に基づいて特定された演奏位置（中断した演奏位置から当該時間だけ戻った位置）である。或いは、任意の位置（たとえば、中断した演奏位置が含まれる小節よりも一小節前）を予め設定しておくことも可能である。
【００６０】
＝＝カラオケ装置１の動作について＝＝
次に、図３を参照して本実施形態におけるカラオケ装置１の動作の具体例について述べる。図３は、カラオケ装置１の動作例を示すフローチャートである。この例では、カラオケ装置１の利用者が予め飲食物をオーダーしているものとする。また、飲食物を提供するサービス提供者が所持する携帯端末Ｍでは、カラオケ装置１と通信を確立するためのアプリケーションソフトウエアが予め立ち上げられているものとする。また、利用者が予約した楽曲のカラオケ演奏が行われているとする。
【００６１】
利用者は、カラオケ演奏に合わせてカラオケ歌唱を行う。音量測定部２００は、歌唱音量の測定を行う（歌唱音量の測定。ステップ１０）。測定した音量は、適宜、演奏制御部４００に出力される。
【００６２】
通信処理部１００は、通信部１２を介してカラオケ装置１が設置されている部屋内に接続要求メッセージを送信する（接続要求。ステップ１１）。
【００６３】
サービス提供者が部屋に入室し、携帯端末Ｍがステップ１１で送信された接続要求メッセージを受信した場合、携帯端末Ｍは、通信処理部１００に店員である旨の確認信号を送信する。
【００６４】
確認信号を受信した場合（ステップ１２でＹの場合）、通信処理部１００は、携帯端末Ｍとの間で通信を確立する（通信の確立。ステップ１３）。
【００６５】
歌唱音量判断部３００は、携帯端末Ｍとカラオケ装置１との通信が確立され、且つ歌唱区間である場合、測定された歌唱音量が所定値以下であるかどうかを判断する（歌唱音量の判断。ステップ１４）。
【００６６】
測定された歌唱音量が所定値以下である場合（ステップ１５でＹの場合）、演奏制御部４００は、カラオケ演奏を中断させる（カラオケ演奏の中断。ステップ１６）。
【００６７】
通信処理部１００は、携帯端末Ｍとの接続状況を確認する。携帯端末Ｍとの通信が解除された場合（ステップ１７でＹの場合）、演奏制御部４００は、ステップ１６で中断されたカラオケ演奏を再開させる（カラオケ演奏の再開。ステップ１８）。
【００６８】
このように、本実施形態に係るカラオケ装置１によれば、カラオケ歌唱の歌唱音量を参照することにより、サービス提供者が入室した場合にはカラオケ演奏を中断させ、サービス提供者が退室した後にカラオケ演奏を再開させることができる。すなわち、本実施形態に係るカラオケ装置１によれば、利用者の性格に合わせたカラオケ演奏が可能となる。よって、サービス提供者のような見知らぬ人の前で歌うことを躊躇う利用者であってもカラオケ歌唱を十分に楽しむことができる。
【００６９】
＜その他＞
なお、上記例では、カラオケ装置１が携帯端末Ｍとの通信を確立する機能（通信処理部１００）を有しているがこれに限られない。たとえば、カラオケ装置１と同じ部屋の中に近距離無線通信の専用端末を配置しておく。そして、携帯端末Ｍとの通信の確立は、この専用端末により行われることでもよい。この場合、専用機器は、通信の確立及び解除の情報をカラオケ装置１に送信し、カラオケ装置１は当該情報の受信に伴って、歌唱音量の測定やカラオケ演奏の中断等の処理を行う。この場合、専用端末及びカラオケ装置１が「カラオケシステム」を構成することとなる。
【００７０】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７１】
１  カラオケ装置（カラオケシステム）
１０  カラオケ本体
１１  制御部
１２  通信部
１００  通信処理部
２００  音量測定部
３００  歌唱音量判断部
４００  演奏制御部
【図１】
2018072595.tif 000003
【図２】
2018072595.tif 000004
【図３】
2018072595.tif 000005